(57)【特許請求の範囲】
【請求項１】
調色及び調光可能であって複数の生活空間のそれぞれに１つ以上配置された複数の照明部と、前記複数の照明部の点灯を制御する制御部とを備える照明システムにおいて、
前記制御部は、
前記複数の生活空間のうち、少なくとも生活する人が存在する生活空間において、
夕食予定時間帯の前に存する夕食予定前時間帯では３，０００ケルビンより高い第１色温度帯であって１００ルクスより明るい第１照度帯の光環境となるように、
前記夕食予定時間帯の後に存する夕食予定後時間帯では３，０００ケルビン以下の第２色温度帯であって２００ルクス以下の第２照度帯の光環境となるように、
起床予定前時刻から起床予定時刻までは３，０００ケルビン以下の第３色温度から３，０００ケルビンより高い第４色温度へと上げるとともに、１００ルクス以下の第３照度から１００ルクスより明るい第４照度に指数関数的に上がる光環境となるように、
前記照明部の点灯を制御する
ことを特徴とする照明システム。
【請求項２】
前記第１色温度帯は、４，０００ケルビンより高く、７，０００ケルビン以下の範囲である
請求項１に記載の照明システム。
【請求項３】
前記夕食予定後時間帯は、就寝予定時刻の２時間前の時刻から前記就寝予定時刻までの時間帯を含む
請求項１又は２に記載の照明システム。
【請求項４】
前記第２照度帯は、３０ルクス以上１００ルクス以下の範囲である
請求項１〜３の何れか１項に記載の照明システム。
【請求項５】
前記夕食予定時間帯は、前記就寝予定時刻の２時間前に終わる
請求項３に記載の照明システム。
【請求項６】
前記制御部は、前記夕食予定時間帯において、前記夕食予定前時間帯において点灯する色温度よりも低い第５色温度であって、前記夕食予定前時間帯において点灯する照度よりも低く且つ１００ルクスより明るい第５照度の光環境となるように、前記照明部の点灯を制御する
請求項１〜５の何れか１項に記載の照明システム。
【請求項７】
前記第５照度は、２００ルクス以下の範囲内にある
請求項６に記載の照明システム。
【請求項８】
前記夕食予定時間帯は、３０分以上３時間以下の範囲にある
請求項１〜７の何れか１項に記載の照明システム。
【請求項９】
前記制御部は、前記夕食予定前時間帯から前記夕食予定時間帯へ移行する時間帯において、暗順応の範囲内で照度を増減させる
請求項１〜８の何れか１項に記載の照明システム。
【請求項１０】
調光及び調色可能であって生活空間に配される照明部と、前記照明部の点灯を制御する制御部とを備える照明装置において、
前記制御部は、
少なくとも人が存在する前記生活空間において、
夕食予定時間帯の前に存する夕食予定前時間帯では３，０００ケルビンより高い第１色温度帯であって１００ルクスより明るい第１照度帯の光環境となるように、
前記夕食予定時間帯の後に存する夕食予定後時間帯では３，０００ケルビン以下の第２色温度帯であって２００ルクス以下の第２照度帯の光環境となるように、
起床予定前時刻から起床予定時刻までは、３，０００ケルビン以下の第３色温度から３，０００ケルビンより高い第４色温度へと上げるとともに、１００ルクス以下の第３照度から１００ルクスより明るい第４照度に指数関数的に上がる光環境となるように、
前記照明部の点灯を制御する
ことを特徴とする照明装置。
【請求項１１】
調光及び調色可能であって生活空間に配される照明部の照明方法において、
少なくとも前記生活空間に人が存在する場合に、
夕食予定時間帯の前に存する夕食予定前時間帯では３，０００ケルビンより高い第１色温度帯であって１００ルクスより明るい第１照度帯の光環境となるように照明し、
前記夕食予定時間帯の後に存する夕食予定後時間帯では３，０００ケルビン以下の第２色温度帯であって２００ルクス以下の第２照度帯の光環境となるように照明し、
起床予定前時刻から起床予定時刻までは、３，０００ケルビン以下の第３色温度から３，０００ケルビンより高い第４色温度へと上げるとともに、１００ルクス以下の第３照度から１００ルクスより明るい第４照度に指数関数的に上がる光環境となるように照明する
ことを特徴とする照明方法。
【請求項１２】
調光及び調色可能であって生活空間に配される照明部の照明方法において、
少なくとも前記生活空間に人が存在する場合に、
就寝予定時刻前の第１の時間帯では、３，０００ケルビンより高い第１色温度帯であって１００ルクスより明るい第１照度帯の光環境となるように照明し、
前記第１の時間帯後の第２の時間帯では、３，０００ケルビン以下の第２色温度帯であって２００ルクス以下の第２照度帯の光環境となるように照明し、
起床予定前時刻から起床予定時刻までにおいて、３，０００ケルビン以下の第３色温度から３，０００ケルビンより高い第４色温度へと上げるとともに、１００ルクス以下の第３照度から１００ルクスより明るい第４照度に指数関数的に上がる光環境となるように照明する
ことを特徴とする照明方法。
【発明の詳細な説明】
【技術分野】
【０００１】
本発明は、調光及び調色機能を利用する照明システム、照明装置及び照明方法に関する。
【背景技術】
【０００２】
従来から、調光及び調色機能を利用して、サーカディアンリズム等の人間の生体リズムに適した光環境を生成する照明システムや照明制御装置が提案されている（例えば、特許文献１、２）。
特許文献１の照明システムは、高照度光と中照度光と低照度光とを得ることができる照明器具と、照明器具の点灯制御を行う制御装置とからなる。制御装置は照明器具の点灯制御により、朝からほぼ夕刻までの第１時間帯Ａは高照度光を、夕刻から夜就寝するまでの第２時間帯Ｂは第１時間帯Ａにおける照度の最大値よりも少なくとも時間軸上の平均照度が低い中照度光を、夜就寝から朝までの第３時間帯Ｃは第２時間帯Ｂにおける照度の最大値よりも平均照度が低い低照度光を生じさせる。これにより、１日を通して光照度を適切な状態に管理している。
【０００３】
特許文献２の照明制御装置は、オフィスに設けられた照明負荷の相関色温度を調節する調色、及び、オフィスの照度を調整する調光を行う照明制御装置であって、午前中の所定時刻から正午付近までの第１の時間帯において、照明負荷の相関色温度を第１の相関色温度に調節し、オフィスの照度を第１の照度に調節し、第１の時間帯以降に設定した午後の第２の時間帯において、第１の相関色温度から第２の相関色温度まで時間の経過に伴って照明負荷の相関色温度を低下させ、第１の照度から第２の照度まで時間の経過に伴ってオフィスの照度を低下させる照明制御部を備えている。
【先行技術文献】
【特許文献】
【０００４】
【特許文献１】特開２０００−２５２０８４号公報
【特許文献２】特開２０１３−１８２８２０号公報
【発明の概要】
【発明が解決しようとする課題】
【０００５】
上記特許文献１の照明システムは、病院や自宅等の人が生活する場所で利用されるが、光照度のみを変化させるものであり、細かな光環境を生成することはできない。
上記特許文献２の照明制御装置は、光出力と相対色温度を変化させており、細やかな光環境を生成できるが、特許文献１と異なり、仕事場所において利用されることを想定している。
【０００６】
本発明は、人が生活する場所において、細やかな光環境を生成することができる照明システム、照明装置及び照明方法を提供する。
【課題を解決するための手段】
【０００７】
上記課題を解決するため、本発明の一態様に係る照明システムは、調色及び調光可能であって複数の生活空間のそれぞれに１つ以上配置された複数の照明部と、前記複数の照明部の点灯を制御する制御部とを備える照明システムにおいて、前記制御部は、前記複数の生活空間のうち、少なくとも生活する人が存在する生活空間において、夕食予定時間帯の前に存する夕食予定前時間帯では３，０００ケルビンより高い第１色温度帯であって１００ルクスより明るい第１照度帯の光環境となるように、前記夕食予定時間帯の後に存する夕食予定後時間帯では３，０００ケルビン以下の第２色温度帯であって２００ルクス以下の第２照度帯の光環境となるように、起床予定前時刻から起床予定時刻までは３，０００ケルビン以下の第３色温度から３，０００ケルビンより高い第４色温度へと上げるとともに、１００ルクス以下の第３照度から１００ルクスより明るい第４照度に指数関数的に上がる光環境となるように、前記照明部の点灯を制御することを特徴としている。
【０００８】
上記課題を解決するため、本発明の一態様に係る照明装置は、調光及び調色可能であって生活空間に配される照明部と、前記照明部の点灯を制御する制御部とを備える照明装置において、前記制御部は、少なくとも人が存在する前記生活空間において、夕食予定時間帯の前に存する夕食予定前時間帯では３，０００ケルビンより高い第１色温度帯であって１００ルクスより明るい第１照度帯の光環境となるように、前記夕食予定時間帯の後に存する夕食予定後時間帯では３，０００ケルビン以下の第２色温度帯であって２００ルクス以下の第２照度帯の光環境となるように、起床予定前時刻から起床予定時刻までは、３，０００ケルビン以下の第３色温度から３，０００ケルビンより高い第４色温度へと上げるとともに、１００ルクス以下の第３照度から１００ルクスより明るい第４照度に指数関数的に上がる光環境となるように、前記照明部の点灯を制御することを特徴としている。
【０００９】
上記課題を解決するため、本発明の一態様に係る照明方法は、調光及び調色可能であって生活空間に配される照明部の照明方法において、少なくとも前記生活空間に人が存在する場合に、夕食予定時間帯の前に存する夕食予定前時間帯では３，０００ケルビンより高い第１色温度帯であって１００ルクスより明るい第１照度帯の光環境となるように照明し、前記夕食予定時間帯の後に存する夕食予定後時間帯では３，０００ケルビン以下の第２色温度帯であって２００ルクス以下の第２照度帯の光環境となるように照明し、起床予定前時刻から起床予定時刻までは、３，０００ケルビン以下の第３色温度から３，０００ケルビンより高い第４色温度へと上げるとともに、１００ルクス以下の第３照度から１００ルクスより明るい第４照度に指数関数的に上がる光環境となるように照明することを特徴としている。
【００１０】
上記課題を解決するため、本発明の他の態様に係る照明方法は、調光及び調色可能であって生活空間に配される照明部の照明方法において、少なくとも前記生活空間に人が存在する場合に、就寝予定時刻前の第１の時間帯では、３，０００ケルビンより高い第１色温度帯であって１００ルクスより明るい第１照度帯の光環境となるように照明し、前記第１の時間帯後の第２の時間帯では、３，０００ケルビン以下の第２色温度帯であって２００ルクス以下の第２照度帯の光環境となるように照明し、起床予定前時刻から起床予定時刻までにおいて、３，０００ケルビン以下の第３色温度から３，０００ケルビンより高い第４色温度へと上げるとともに、１００ルクス以下の第３照度から１００ルクスより明るい第４照度に指数関数的に上がる光環境となるように照明することを特徴としている。
【発明の効果】
【００１１】
以上の構成により、人が生活する生活空間において、細やかな光環境を生成することができる。これにより、睡眠に対する知識の有しない人であっても、上記構成により生成される光環境下で生活することによって、良好な睡眠が得られる。
【図面の簡単な説明】
【００１２】
【図１】第１の実施形態に係る照明システムの概略図。
【図２】生活空間の様子を示す図。
【図３】（ａ）は照明器具の概略構成図、（ｂ）は照明器具の出射光のスペクトルを示す図。
【図４】制御装置のブロック図。
【図５】時間帯と、色温度及び照度との関係を説明する図。
【図６】照明器具の点灯スケジュールを説明する図。
【図７】図６の点灯スケジュール用の点灯テーブル。
【図８】第１の実施形態に係る制御部のフローチャート。
【図９】春秋モードの７．５時間タイプにおける、照明器具の点灯スケジュールを説明する図。
【図１０】春秋モードの６時間タイプにおける、照明器具の点灯スケジュールを説明する図。
【図１１】第２の実施形態における夏モードの点灯スケジュール。
【図１２】第２の実施形態における冬モードの点灯スケジュール。
【図１３】制御装置のブロック図。
【図１４】夏モード用の点灯テーブルの一部。
【図１５】冬モード用の点灯テーブルの一部。
【図１６】第２の実施形態に係る制御部のフローチャート。
【図１７】夏モードの７．５時間タイプにおける、照明器具の点灯スケジュールを説明する図。
【図１８】冬モードの７．５時間タイプにおける、照明器具の点灯スケジュールを説明する図。
【図１９】第３の実施形態の照明装置の斜視図。
【図２０】第３の実施形態の照明装置の断面図。
【図２１】第３の実施形態の照明装置の透光性カバーを外した状態を光の出射方向から見た図。
【図２２】リモコンのブロック図。
【図２３】制御部のブロック図。
【図２４】第３の実施形態の制御部のフローチャート。
【図２５】変形例１に係る点灯スケジュールを説明する図。
【図２６】変形例２に係る点灯スケジュールを説明する図。
【図２７】変形例３に係る点灯スケジュールを説明する図。
【図２８】変形例４に係る点灯スケジュールを説明する図。
【図２９】変形例５に係る点灯を説明する図。
【発明を実施するための形態】
【００１３】
＜概要＞
実施形態の一態様に係る照明システムは、調色及び調光可能であって複数の生活空間のそれぞれに１つ以上配置された複数の照明部と、前記複数の照明部の点灯を制御する制御部とを備える照明システムにおいて、前記制御部は、前記複数の生活空間のうち、少なくとも生活する人が存在する生活空間において、（１）夕食予定時間帯の前に存する夕食予定前時間帯では３，０００ケルビンより高い第１色温度帯であって１００ルクスより明るい第１照度帯の光環境となるように、（２）前記夕食予定時間帯の後に存する夕食予定後時間帯では３，０００ケルビン以下の第２色温度帯であって２００ルクス以下の第２照度帯の光環境となるように、（３）起床予定前時刻から起床予定時刻までは３，０００ケルビン以下の第３色温度から３，０００ケルビンより高い第４色温度へと上げるとともに、１００ルクス以下の第３照度から１００ルクスより明るい第４照度に指数関数的に上がる光環境となるように、前記照明部の点灯を制御する。
【００１４】
実施形態の一態様に係る照明装置は、調光及び調色可能であって生活空間に配される照明部と、前記照明部の点灯を制御する制御部とを備える照明装置において、前記制御部は、少なくとも人が存在する前記生活空間において、（１）夕食予定時間帯の前に存する夕食予定前時間帯では３，０００ケルビンより高い第１色温度帯であって１００ルクスより明るい第１照度帯の光環境となるように、（２）前記夕食予定時間帯の後に存する夕食予定後時間帯では３，０００ケルビン以下の第２色温度帯であって２００ルクス以下の第２照度帯の光環境となるように、（３）起床予定前時刻から起床予定時刻までは、３，０００ケルビン以下の第３色温度から３，０００ケルビンより高い第４色温度へと上げるとともに、１００ルクス以下の第３照度から１００ルクスより明るい第４照度に指数関数的に上がる光環境となるように、前記照明部の点灯を制御する。
【００１５】
実施形態の一態様に係る照明方法は、調光及び調色可能であって生活空間に配される照明部の照明方法において、少なくとも前記生活空間に人が存在する場合に、（１）夕食予定時間帯の前に存する夕食予定前時間帯では３，０００ケルビンより高い第１色温度帯であって１００ルクスより明るい第１照度帯の光環境となるように照明し、（２）前記夕食予定時間帯の後に存する夕食予定後時間帯では３，０００ケルビン以下の第２色温度帯であって２００ルクス以下の第２照度帯の光環境となるように照明し、（３）起床予定前時刻から起床予定時刻までは、３，０００ケルビン以下の第３色温度から３，０００ケルビンより高い第４色温度へと上げるとともに、１００ルクス以下の第３照度から１００ルクスより明るい第４照度に指数関数的に上がる光環境となるように照明する。
実施形態の一態様に係る照明方法は、例えば、第１の生活空間では、上記の（１）の夕食予定前時間帯で上記の光環境となるように照明部を照明させた後消灯するようにし、第２の生活空間では上記の（２）の夕食予定後時間帯で上記の光環境と上記の（３）の時間帯で上記光環境となるように照明部を照明しそれ以外の時間帯では点灯しないような方法も含まれる。つまり、実施形態の一態様に係る照明方法は、複数の生活空間において、各生活空間に配された照明部の点灯を個別に制御し、複数の生活空間全体で上記の（１）〜（３）の時間帯での光環境となるような照明方法も含む。この場合、各生活空間の照明部の点灯の設定は人によって行われてもよい。
【００１６】
実施形態の別の態様に係る照明方法は、調光及び調色可能であって生活空間に配される照明部の照明方法において、少なくとも前記生活空間に人が存在する場合に、（１）就寝予定時刻前の第１の時間帯では、３，０００ケルビンより高い第１色温度帯であって１００ルクスより明るい第１照度帯の光環境となるように照明し、（２）前記第１の時間帯後の第２の時間帯では、３，０００ケルビン以下の第２色温度帯であって２００ルクス以下の第２照度帯の光環境となるように照明し、（３）起床予定前時刻から起床予定時刻までにおいて、３，０００ケルビン以下の第３色温度から３，０００ケルビンより高い第４色温度へと上げるとともに、１００ルクス以下の第３照度から１００ルクスより明るい第４照度に指数関数的に上がる光環境となるように照明する。
【００１７】
ここで、約２４時間の周期で活動と睡眠を繰り返すリズム、所謂、サーカディアンリズムを整えると、人は良質の睡眠が得られる。この良質の睡眠に重要な役割を果たすメラトニンは、サーカディアンリズム及び光環境の変化に従って、トリプトファンからセロトニンが合成され、続いて、松果体でセロトニンから合成される。
上記の構成では、夕食予定前時間帯において体内時計の乱れが抑制されるとともにセロトニンが生成される。夕食予定後時間帯において体内時計の乱れを抑制し、セロトニンからメラトニンが合成される。起床予定前時刻から起床予定時刻までにおいて目覚め易くしている。これにより、体内時計の乱れが抑制されてサーカディアンリズムが整い、良質な睡眠をえることができる。
【００１８】
別の態様において、前記第１色温度帯は、４，０００ケルビンより高く、７，０００ケルビン以下の範囲としてもよい。これにより、セロトニンを生成できるとともに体内時計の乱れを抑制できる。
別の態様において、前記夕食予定後時間帯は、前記就寝予定時刻の２時間前の時刻から前記就寝予定時刻までの時間帯を含むとしてもよい。就寝時刻の２時間前から松果体によるメラトニンの分泌が上昇し始めるので、メラトニンが充分に分泌される。
別の態様において、前記第２照度帯は、３０ルクス以上１００ルクス以下の範囲であるとしてもよい。これにより、メラトニンの分泌が阻害されるのを防ぐことができる。
【００１９】
別の態様において、前記夕食予定時間帯は、前記就床予定時刻の２時間前に終わるとしてもよい。これにより、体内時計が乱れるのを抑制できる。また、夕食予定後時間帯を十分に確保でき、夕食予定後時間帯でのメラトニンの分泌が促進される。
別の態様において、前記制御部は、前記夕食予定時間帯において、前記夕食予定前時間帯において点灯した色温度よりも低い第５色温度であって、前記夕食予定前時間帯において点灯した照度よりも低く且つ１００ルクスより明るい第５照度で、前記照明部を点灯させる。これにより、照度の変化のない状態で夕食等を摂ることができ、また、夕食等を摂るのに十分な明るさが確保される。またこの時間帯での睡眠を抑制することができる。
【００２０】
別の態様において、前記第５照度は、２００ルクス以下の範囲内にあるとしてもよい。これにより、メラトニンの分泌に与える影響を少なくできる。
別の態様において、前記夕食予定時間帯は、３０分以上３時間以下の範囲にあるとしてもよい。これにより、夕食の時間を確保できる。
別の態様において、前記制御部は、前記夕食予定前時間帯から前記夕食予定時間帯へ移行する時間帯において、暗順応の範囲内で照度を増減させてもよい。これにより、照度が低下しても視認性が悪くなるようなことを抑制できる。
【００２１】
＜第１の実施形態＞
第１実施形態では、本発明の一態様である照明システムを病院、介護施設、寮等に適用した例について説明する。
【００２２】
１．全体構造
図１は、第１の実施形態に係る照明システムの概略図である。
照明システム１は、同図に示すように、複数の生活空間（部屋）３を有する施設等に設けられ、複数の生活空間３の光環境を生成している。なお、生活空間に生活する人であって、就寝している人及び就寝しようとしている人を以下、「就寝者」とする。
【００２３】
具体的には、照明システム１は、生活空間３のそれぞれに配された照明器具（本発明の「照明部」の一例に相当する。）５と、前記照明器具５の点灯を制御する制御装置（本発明の「制御部」の一例に相当する。）７とを有している。この構成により、照明システム１は、生活空間３の照度や色温度を調整して、サーカディアンリズムを整える光環境を提供する。この照度や色温度を調整した点灯をサーカディアン点灯とし、一般の通常点灯と区別する。
【００２４】
具体的には、照明システム１は、夕食予定時間帯の前に存する夕食予定前時間帯では３，０００ケルビンより高い第１色温度帯であって１００ルクスより明るい第１照度帯の光環境となるように照明し、前記夕食予定時間帯の後に存する夕食予定後時間帯では３，０００ケルビン以下の第２色温度帯であって２００ルクス以下の第２照度帯の光環境となるように照明し、起床予定前時刻から起床予定時刻までは、３，０００ケルビン以下の第３色温度から３，０００ケルビンより高い第４色温度へと上げるとともに、１００ルクス以下の第３照度から１００ルクスより明るい第４照度に指数関数的に上がる光環境となるように照明する照明方法に沿って点灯する。
【００２５】
なお、ここでは、各生活空間３の光環境はすべて同一に管理されているが、各生活空間３に生活する人に合わせて、個別に管理するようにしてもよい。
【００２６】
２．各部の構造
（１）照明器具
図２は生活空間の様子を示す図であり、図３の（ａ）は照明器具の概略構成図であり、図３の（ｂ）は照明器具の出射光のスペクトルを示す図である。
【００２７】
照明器具５は、調色及び光色可能の構成されている。具体的には、照明器具５は、３，０００ケルビンより高い第１色温度帯と３，０００ケルビン以下の第２色温度帯とを含む範囲で調色可能であって、１００ルクスより明るい第１照度帯と２００ルクス以下の第２照度帯とを含む範囲で調光可能な構成とされている。
照明器具５は、例えば、図２に示すように、生活空間３を構成する天井１１に設けられるベースライトタイプである。ここでは、天井に埋め込まれた埋め込みタイプである。
照明器具５は、例えば、壁１３に設けられた操作ユニット１５の非常点灯用のスイッチＳＷ２が操作されると、サーカディアン点灯から非常点灯、あるいは非常点灯からサーカディアン点灯にそれぞれ切り替える。なお、スイッチＳＷ２がＯＦＦ状態のときは、常時サーカディアン点灯される。
照明器具５は、図３の（ａ）に示すような第１発光部２１と第２発光部２３とを有する直管ＬＥＤランプ２５（図２参照）を備える。第１発光部２１と第２発光部２３は、互いに独立して電力が供給される。これにより、照明器具５は、上記の範囲で調色・調光可能となる。
【００２８】
第１発光部２１は、例えば白色光を出射する。具体的には、第１発光部２１は、複数の白色ＬＥＤにより構成されている。白色ＬＥＤは、図３の（ｂ）に示すように、例えば、青色光を出射するＬＥＤ素子と、ＬＥＤ素子の光出射面に設けられ且つ青色光を黄色光に変換する蛍光体とから構成されている。なお、白色ＬＥＤは、他の光色を出射するＬＥＤ素子と他の蛍光体とから構成してもよい。
【００２９】
第２発光部２３は、例えば赤色光を出射する。具体的には、第２発光部は、複数の赤色ＬＥＤにより構成されている。赤色ＬＥＤは、図３の（ｂ）に示すように、例えば、赤色光を出射するＬＥＤ素子から構成されている。なお、赤色ＬＥＤは、他の光色を出射するＬＥＤ素子と他の蛍光体とから構成してもよい。
【００３０】
照明器具５は、第１発光部２１と第２発光部２３の光出力（輝度）を調整して、種々の色温度の合成光を照射する。
例えば、６，０００ケルビン等の高い色温度の光を照射する場合には第１発光部２１からの光出力（発光比率）を増やせばよく、３，０００ケルビン等の低い色温度の光を照射する場合には第２発光部２３から光出力（発光比率）を増やせばよい。
また、６，０００ケルビンの色温度であって、例えば１００ルクスの光を出射する場合には、６，０００ケルビンの色温度となる第１発光部２１と第２発光部２３とからの発光比率を維持して、第１発光部２１と第２発光部２３の光出力（輝度）を調整すればよい。
【００３１】
（２）制御装置
（２−１）構成
図４は、制御装置のブロック図である。
制御装置７は、例えば、同図に示すように、電源部３１、供給部３３、制御部３５を有している。
【００３２】
電源部３１は、商用電源を所定の直流電力に変換する。ここでは、電源部３１は、整流回路３７、ＤＣ／ＤＣコンバータ３９等を含む。
【００３３】
供給部３３は、電源部３１から出力された直流電力を、制御部３５からの指示に従って、第１発光部２１及び第２発光部２３に対応する個別の直流電力に変換して、第１発光部２１及び第２発光部２３に供給する。供給部３３は、ここでは、電源部３１に対して並列に設けられた第１ＰＷＭ回路４１と第２ＰＷＭ回路４３から構成される。なお、第１ＰＷＭ回路４１の供給先は第１発光部２１であり、第２ＰＷＭ回路４３の供給先は第２発光部２３である。
【００３４】
制御部３５は、時刻に合わせて、第１発光部２１及び第２発光部２３の光出力を制御して、生活空間３の光環境を調整する。具体的には、制御部３５は、供給部３３に指示して、第１発光部２１及び第２発光部２３に供給する電力を調整する。
制御部３５は、ここでは、ＣＰＵ４５、時計４７、メモリー４９等を含む。メモリー４９は、点灯スケジュールに沿って時刻に対応する照度及び色温度の値を格納する点灯テーブル等を記憶する。ＣＰＵ４５は、時計４７から時刻を取得して、時刻に合わせた照度及び色温度をメモリー４９から取得して、供給部３３に指示をする。なお、時計４７として電波時計等を利用することができる。
【００３５】
（２−２）点灯スケジュール
制御部３５は、少なくとも３つの点灯モードを制御する。３つの点灯モードは、夕食予定前時間帯の照明を制御する夕食予定前時間帯モードと、夕食予定後時間帯の照明を制御する夕食予定後時間帯モードと、起床前の照明を制御する起床前モードとである。
【００３６】
図５は、時間帯と、色温度及び照度との関係を説明する図である。
夕食予定前時間帯モードは、夕食予定前時間帯において、３，０００ケルビンより高い第１色温度帯（斜線部分ａ）であって、１００ルクスより明るい第１照度帯（斜線部分ｂ）で点灯させる。
【００３７】
第１色温度帯（斜線部分ａ）は、３，０００ケルビンより高ければよく、色温度の上限について特に限定はないが、７，０００ケルビン以下が好ましい。第１色温度帯は４，０００ケルビン以上がより好ましく、特に好ましくは４，５００ケルビン〜６，５００ケルビンの範囲である。
【００３８】
また、第１照度帯（斜線部分ｂ）は、１００ルクスより明るければよく、照度の上限について特に限定はないが、３００ルクス以下が好ましい。特に、１６時以降は、３００ルクス以下が好ましい。なお、１５時以前において点灯させる場合は、セロトニンを合成させるために、３，０００ルクス以上が好ましい。
【００３９】
第１色温度帯における色温度は、時間の経過とともに一定である場合に限らず、斜線部分ａの範囲で自由に変動させてもよい。また、第１照度帯における照度は、時間の経過とともに一定である場合に限らず、斜線部分ｂの範囲で自由に変動させてもよい。ただし、色温度又は照度の変動は、時間の経過とともに減少傾向にある方が好ましい。
【００４０】
このように、第１色温度帯及び第１照度帯で点灯を制御すると、セロトニンがトリプトファンから変換されやすくなり、セロトニンの生成が促進される。また、体内時計の乱れを抑制できる。
【００４１】
夕食予定後時間帯モードは、夕食予定後時間帯において、３，０００ケルビン以下の第２色温度帯（斜線部分ｃ）であって、２００ルクス以下の第２照度帯（斜線部分ｄ）で点灯させる。
【００４２】
第２色温度帯（斜線部分ｃ）は、３，０００ケルビン以下であればよく、色温度の下限について特に限定はないが、２，５００ケルビン以上が好ましい。
【００４３】
また、第２照度帯（斜線部分ｄ）は、２００ルクス以下であればよい。第２照度帯の上限は１００ルクス以下が好ましい。また、第２照度帯の下限について特に限定はないが、１０ルクス以上が好ましい。
【００４４】
なお、第２色温度帯における色温度は、時間の経過とともに一定である場合に限らず、斜線部分ｃの範囲で自由に変動させてもよい。また、第２照度帯における照度は、時間の経過とともに一定である場合に限らず、斜線部分ｄの範囲で自由に変動させてもよい。ただし、色温度又は照度の変動は、時間の経過とともに減少傾向にある方が好ましい。
【００４５】
このように、第２色温度帯及び第２照度帯で点灯を制御することにより、体内時計が乱れるのを抑制でき、メラトニンの分泌が阻害され難くできる。
【００４６】
起床前モードは、起床予定前時刻から起床予定時刻までにおいて、３，０００ケルビン以下の第３色温度から３，０００ケルビンより高い第４色温度へと上げるとともに、１００ルクス以下の第３照度から１００ルクスより明るい第４照度に指数関数的に上がるように点灯させる。
【００４７】
本明細書において、指数関数的に上がるように点灯させるとは、累乗の指数が変数となる指数関数のように、時間の経過とともに照度が飛躍的に上昇して明るくなるような状態をいう。換言すると、横軸を時間、縦軸を照度としたときに、照度と時間とが指数関数の関係にあることをいう。
【００４８】
第３色温度は、３，０００ケルビン以下であればよく、色温度の下限について特に限定はないが、２，５００ケルビン以上が好ましい。また、第４色温度は、３，０００ケルビンより高ければよく、色温度の上限について特に限定はないが、７，０００ケルビン以下が好ましい。第４色温度は４，０００ケルビン以上がより好ましく、特に好ましくは４，５００ケルビン〜６，５００ケルビンの範囲である。
【００４９】
また、第３照度は１００ルクス以下であればよく、照度の下限は、消灯を考慮すると０ルクスである。第４照度は、１００ルクスより明るければよく、照度の上限について、サーカディアンリズムが乱れている等で起床困難な就寝者ではサーカディアンリズムの改善を目的に３００ルクス以上の高照度としてもよい。
【００５０】
このように、起床予定前時刻から起床予定時刻までの点灯を制御すると、目覚めを良くでき、また、体内時計が乱れるのを抑制できる。
【００５１】
第１の実施形態における制御部３５は、上記の３つのモードを含んだ７つのモードで光環境をつくる。７つのモードとは、具体的には、夕食予定前時間帯モードと、夕食予定前時間帯から夕食予定時間帯へと移行する第１の移行モードと、夕食予定時間帯モードと、夕食予定時間帯終了から夕食予定後時間帯へと移行する第２の移行モードと、夕食予定後時間帯モードと、睡眠予定時間帯モードと、起床前モードである。
【００５２】
図６は、照明器具５の点灯スケジュールを説明する図である。
図６において示すＡ〜Ｇは、上記７つのモードに対応する時間帯であり、以下説明する。
【００５３】
以下、モード毎の点灯制御について説明する。
（Ａ）夕食予定前時間帯モード
夕食予定前時間帯モードは、時刻Ｔ１から時刻Ｔ１３までの夕食予定前時間帯Ａにおいて制御されるモードである。
時刻Ｔ１において、３，０００ケルビンより高い色温度ＣＴ１、１００ルクスより明るい照度Ｉ１で点灯している。時刻Ｔ１から時刻Ｔ１１までは色温度ＣＴ１を一定に制御し、時刻Ｔ１１から時刻Ｔ１３にかけて色温度ＣＴ１が色温度ＣＴ３（３，０００ケルビン）まで徐々に下がるように制御する。
また、時刻Ｔ１から時刻Ｔ１２までは照度Ｉ１を一定に制御し、時刻Ｔ１２から照度Ｉ１が徐々に下がるように制御する。
【００５４】
夕食予定前時間帯Ａとは、夕食予定時間帯Ｃの開始時刻Ｔ２よりも前の所定の時間帯をいう。ただし、３，０００ケルビンより高い第１色温度帯であって、１００ルクスより明るい第１照度帯に限る。
夕食予定前時間帯Ａの時刻Ｔ１は１４時〜１７時までの範囲内、時刻Ｔ１３は１６時〜１８時の範囲内にあるのが好ましい。色温度ＣＴ１は４，５００ケルビン〜６，５００ケルビンの範囲内にあるのが好ましい。また、照度Ｉ１は、１５時以前では３，０００ルクス以上が好ましく、１６時以降では２００ルクス〜３００ルクスの範囲内にあるのが好ましい。
【００５５】
夕食予定前時間帯Ａ、色温度ＣＴ１及び照度Ｉ１を上記好ましい範囲にすることで、夕食前に運動を行うのに、十分な時間と明るさを確保できる。なお、この時間帯に運動をすると、睡眠の質が向上する。
また、夕食予定前時間帯Ａを上記好ましい範囲とすることで、夕食予定時間帯を早い時間に確保することができる。
【００５６】
（Ｂ）第１の移行モード
第１の移行モードは、時刻Ｔ１３から時刻Ｔ２までの第１の移行時間帯Ｂにおいて制御されるモードである。
時刻Ｔ１３以降は、色温度ＣＴ３を一定（３，０００ケルビン）に制御する。なお、時刻Ｔ１３から起床予定前時刻Ｔ５まで、色温度ＣＴ３を一定に制御しているが、３，０００ケルビン以下の色温度帯で変化させてもよい。
また、時刻Ｔ１３から時刻Ｔ２にかけて、照度Ｉが照度Ｉ２まで徐々に下がるように制御する。この場合、就寝者が照度の低下に暗順応できる範囲で下げるのが好ましい。
【００５７】
第１の移行時間帯Ｂの範囲は１時間〜２時間の間である。なお、第１の移行モード（Ｂ）は必須ではなく、後述の変形例に示すように、夕食予定前時間帯モード（Ａ）から夕食予定時間帯モード（Ｃ）に直接移行する場合は、第１の移行モード（Ｂ）は省略される場合がある（換言すると、第１の移行モード（Ｂ）が夕食予定前時間帯モードに含まれている。）。
【００５８】
（Ｃ）夕食予定時間帯モード
夕食予定時間帯モードは、時刻Ｔ２から時刻Ｔ３までの夕食予定時間帯Ｃにおいて制御されるモードである。
時刻Ｔ２から時刻Ｔ３前までの夕食予定時間帯においては、色温度ＣＴ３及び照度Ｉ２が一定となるように制御する。食事中は色温度や照度の変動がない方が好ましく、食欲増進につながるからである。
【００５９】
夕食予定時間帯Ｃとは、あくまでも夕食を摂る予定の時間帯をいい、その時間帯に実際に夕食を摂ったか否かとは関係がなく、当該夕食予定時間帯Ｃ以外の時間帯に夕食を摂ってもよい。なお、夕食予定時間帯Ｃには、食事以外の時間、例えば、勉強、読書等の時間を含めてもよい。
【００６０】
夕食予定時間帯Ｃの時刻Ｔ２は１７時〜１８時の範囲内、時刻Ｔ３は１８時〜２０時の範囲内にあるのが好ましい。この範囲にあると、比較的早めに夕食を摂ることができ、体内時計が乱れるのを抑制できる。また、早めの入浴時間を確保できる。夕食予定時間帯Ｃの範囲は、０．５時間以上４時間以下が好ましい。このような範囲であれば、食事や食事以外の時間を十分に確保することができる。
【００６１】
夕食予定時間帯Ｃにおける照度Ｉ２は、１００ルクス〜２００ルクスの範囲内にあるのが好ましく、特に１２０ルクス〜１８０ルクスの範囲内にあるのが好ましい。
照度Ｉ２が上記範囲にあると、住居者が一時的に睡眠するのを抑制する（覚醒を維持する）ことができる。なお、この時間に睡眠してしまうと、睡眠リズムが大きく崩れ、睡眠予定時間帯で入眠が困難になるためである。特に、この時間に睡眠する傾向にある高齢者にとって効果が大きい。
【００６２】
照度Ｉ２が上記範囲にあると、読書等の娯楽を楽しむことができる。また、照度Ｉ２が上記範囲にあっても、色温度ＣＴが３，０００ケルビンであるため、メラトニンの分泌に対して影響を少なくできる。
夕食予定時間帯Ｃにおける色温度及び照度は一定であることが好ましい。これは、一般的に食事中にこれらの変化を嫌うためである。
【００６３】
（Ｄ）第２の移行モード
第２の移行モードは、時刻Ｔ３から時刻Ｔ３１までの第２の移行時間帯Ｄにおいて制御されるモードである。
時刻Ｔ３から時刻Ｔ３１にかけて、照度Ｉ２が照度Ｉ３（１００ルクス以下）まで徐々に下がるように制御する。この場合、就寝者が照度の変化を認識できる範囲であって暗順応できる範囲で下げるのが好ましい。これにより、例えば、これ以降はリラックスするための時間であるような時間帯になることを就寝者に知らせることができる。
また、第２の移行時間帯Ｄでは、照度が変化しているため、この時間帯を入浴時間帯とすることもできる。
なお、第２の移行モード（Ｄ）は必須ではなく、後述の変形例に示すように、夕食予定時間帯モード（Ｃ）から夕食予定後時間帯モード（Ｅ）に直接移行する場合は、第２の移行モード（Ｄ）は省略される場合がある。
【００６４】
（Ｅ）夕食予定後時間帯モード
夕食予定後時間帯モードは、時刻Ｔ３１から時刻Ｔ４までの夕食予定後時間帯Ｅにおいて制御されるモードである。
夕食予定後時間帯Ｅとは、夕食予定時間帯Ｃの終了時刻Ｔ３から就寝予定時刻Ｔ４までの所定の時間帯をいう。ただし、３，０００ケルビン以下の第２色温度帯であって、２００ルクス以下の第２照度帯に限る。
【００６５】
時刻Ｔ３１から時刻Ｔ３２までは、照度Ｉ３を一定に制御する。照度Ｉ３は、２０ルクス〜４５ルクスの範囲内にあるのが好ましく、２５ルクス〜４０ルクスの範囲内にあるのがより好ましい。
これにより、安全に作業や歩行を行うための明るさが確保される。上記範囲の照度は暗いため、就寝者は静かに過ごすことができ、睡眠潜時の短縮及び睡眠効率の向上につながる。
【００６６】
また、就床予定時刻Ｔ３４の前である時刻Ｔ３２から、時刻Ｔ３４の前の時刻Ｔ３３までを減光時間帯とし、照度Ｉ３が照度Ｉ４まで徐々に下がるように制御する。
【００６７】
就床前は充分暗くてよいため、就床予定時刻Ｔ３４の４５分前から減光時間帯としてもよい。つまり、時刻Ｔ３２は、就床予定時刻Ｔ３４の４５分前から１５分前の範囲が好ましく、時刻Ｔ３３は、就床予定時刻Ｔ３４の３０分前から０分前の範囲が好ましい。減光時間帯は、睡眠儀式に繋がるもので、寝る前に「寝るきっかけ」が得られる。
【００６８】
照度Ｉ４は、７ルクス〜１５ルクスの範囲内にあることが好ましい。これにより、就寝者の寝る体制が整えやすくなる。また、口腔ケア等の寝支度のための充分安全な明るさが確保される。
時刻Ｔ３３から就寝予定時刻（入眠予定時刻）Ｔ４前までは、色温度ＣＴ３及び照度１４を一定に制御する。
【００６９】
夕食予定後時間帯Ｅの開始時刻Ｔ３１は、就床予定時刻Ｔ３４の１時間３０分以上前とするのが好ましく、さらには２時間以上前とすることが好ましい。就床予定時刻Ｔ３４の１時間３０分から２時間前から松果体からメラトニンの分泌が上昇するため、これにより、メラトニンの分泌の上昇を阻害しない。
また、時刻Ｔ３１を就床予定時刻Ｔ３４の２時間以上前にすることで、入浴からの時間を十分におくことができ、入居者の体温が下がり、入眠潜時を短縮できる。
【００７０】
夕食予定後時間帯Ｅの開始時刻Ｔ３１は１９時〜２１時の間が好ましく、夕食予定後時間帯Ｅの終了時刻Ｔ４は遅くとも２４時が好ましい。これにより、５時間から８時間の範囲の睡眠時間を確保しやすくなる。なお、上記睡眠時間が上記範囲から外れると、成人病等の発症リスクが高くなる。
【００７１】
（Ｆ）睡眠予定時間帯モード
睡眠予定時間帯モードは、時刻Ｔ４から時刻Ｔ５までの睡眠予定時間帯Ｆにおいて制御されるモードである。
時刻Ｔ４から起床予定前時刻Ｔ５までは、色温度ＣＴ３及び照度１４を一定に制御する。なお、照度は、さらに、下げてもよい。例えば、１ルクス以下に下げてもよいし、０．５ルクスに下げてもよいし、さらには、０ルクスまで下げてもよい。
【００７２】
（Ｇ）起床前モード
起床前モードは、時刻Ｔ５から時刻Ｔ６までの起床前時間帯Ｇにおいて制御されるモードである。
時刻Ｔ５から起床予定時刻Ｔ６にかけて、色温度ＣＴ３から色温度ＣＴ２へと徐々に上げるとともに、照度Ｉ４から照度Ｉ１まで指数関数的に上がるように点灯させる。
なお、時刻Ｔ５における照度１４は０ルクスでない場合、照度Ｉ４と指数関数曲線との交差時刻Ｔ５１から、指数関数的に上がるように点灯させる。
【００７３】
起床予定前時刻Ｔ５とは、起床予定時刻Ｔ６よりも前の時刻をいい、起床予定時刻Ｔ６の１０分前〜２０分前の時刻が好ましく、特に好ましくは１５分前である。
起床予定時刻Ｔ６とは、起床する予定の時刻をいい、実際に起床したか否かとは関係がない。起床予定時刻Ｔ６は、５時３０分から７時３０分の間が好ましい。
【００７４】
なお、起床予定時刻Ｔ６は、就寝予定時刻Ｔ４から７．５時間後もしくは６時間後の時刻が好ましい。ノンレム睡眠‐レム睡眠の１セットが９０分から１２０分であるため、ノンレム睡眠‐レム睡眠のセットが５回もしくは４回繰り返され、良質の睡眠を手に入れることができる。特に、起床予定時刻Ｔ６に浅いノンレム睡眠の状態になるように、就床予定時刻Ｔ３４や起床予定時刻Ｔ６を設定するのが好ましい。
そこで、睡眠潜時や朝方のレム睡眠の延長を考慮して、例えば６時間睡眠を希望する場合は就床予定時刻Ｔ３４を起床予定時刻Ｔ６の６時間３０分前に、例えば７時間３０分睡眠を希望する場合は就床予定時刻Ｔ３４を起床予定時刻Ｔ６の８時間前に、それぞれ設定するのが好ましい。
【００７５】
なお、夕食予定前時間帯Ａ、夕食予定時間帯Ｃ、夕食予定後時間帯Ｅの開始時刻や終了時刻は、季節（春秋モード、夏モード、冬モード）や睡眠時間の長さ（７．５時間タイプ、６時間タイプ）等によって、適宜変更することができる。これについては、後述する。
【００７６】
（２−３）点灯テーブル
図７は、図６の点灯スケジュール用の点灯テーブルである。
制御部３５は、メモリー４９に格納されている点灯スケジュール用の点灯テーブルＴａ１から時刻に対応した照度と色温度を取得する。点灯テーブルＴａ１は、図７に示すように、時刻と、その時刻での照度の値と色温度の値を記憶している。ここでは、各時刻での照度と色温度の値が格納されているが、制御部３５が第１ＰＷＭ回路４１と第２ＰＷＭ回路４３とにそれぞれ指示するデューテュ比であってもよい。
【００７７】
（ｉ）照度
照度は、時刻Ｔ１〜時刻Ｔ１２において、図６に示すように一定である。点灯テーブルＴａ１において、照度は時刻Ｔ１〜時刻Ｔ１２で「Ｉ１」である。
照度は、時刻Ｔ１２〜時刻Ｔ２において、図６に示すように徐々に下がる。ここでは、線形的に暗くなる。点灯テーブルＴａ１において、照度は、時刻が時刻Ｔ２になったときに照度が「Ｉ２」になるように、時刻Ｔ１２〜時刻Ｔ２で下がる。なお、例えば、時刻Ｔ１２と時刻Ｔ２との間の時刻Ｔ１３の照度は「Ｉ１ｋ」となっており、この「Ｉ１ｋ」は、「Ｉ１」より小さく、「Ｉ２」より大きい。
【００７８】
照度は、時刻Ｔ２〜時刻Ｔ３において、図６に示すように一定である。点灯テーブルＴａ１において、照度は時刻Ｔ２〜時刻Ｔ３で「Ｉ２」である。
照度は、時刻Ｔ３〜時刻Ｔ３１において、図６に示すように徐々に下がる。ここでは、線形的に暗くなる。点灯テーブルＴａ１において、照度は、時刻が時刻Ｔ３１になったときに照度が「Ｉ３」になるように、時刻Ｔ３〜時刻Ｔ３１で下がる。
照度は、時刻Ｔ３１〜時刻Ｔ３２において、図６に示すように一定である。点灯テーブルＴａ１において、照度は時刻Ｔ３１〜時刻Ｔ３２で「Ｉ３」である。
照度は、時刻Ｔ３２〜時刻Ｔ３３において、図６に示すように徐々に下がる。ここでは、線形的に暗くなる。点灯テーブルＴａ１において、照度は、時刻が時刻Ｔ３３になったときに照度が「Ｉ４」になるように、時刻Ｔ３２〜時刻Ｔ３３で下がる。
照度は、時刻Ｔ３３〜時刻Ｔ４〜時刻Ｔ５１において、図６に示すように一定である。点灯テーブルＴａ１において、照度は時刻Ｔ３３〜時刻Ｔ５１で「Ｉ４」である。
照度は、時刻Ｔ５１〜時刻Ｔ６において、図６に示すように指数関数的に上がる。点灯テーブルＴａ１において、照度は、時刻が時刻Ｔ６になったときに照度が「Ｉ１」になるように、時刻Ｔ５１〜時刻Ｔ６で上がる。なお、指数関数は、時刻Ｔ５のときに照度が「０」に、時刻Ｔ６で照度が「Ｉ１」になるような関数である。
【００７９】
（ｉｉ）色温度
色温度は、時刻Ｔ１〜時刻Ｔ１１において、図６に示すように一定である。点灯テーブルＴａ１において、色温度は時刻Ｔ１〜時刻Ｔ１１で「ＣＴ１」である。
色温度は、時刻Ｔ１１〜時刻Ｔ３において、図６に示すように徐々に下がる。ここでは、線形的に低くなる。点灯テーブルＴａ１において、色温度は、時刻が時刻Ｔ１３になったときに色温度が「ＣＴ３」になるように、時刻Ｔ１１〜時刻Ｔ１３で下がる。
色温度は、時刻Ｔ１３〜時刻Ｔ５において、図６に示すように一定である。点灯テーブルＴａ１において、色温度は時刻Ｔ１３〜時刻Ｔ５で「ＣＴ３」である。
色温度は、時刻Ｔ５〜時刻Ｔ６において、ここでは、図６に示すように指数関数的に上がる。点灯テーブルＴａ１において、色温度は、時刻が時刻Ｔ６になったときに色温度が「ＣＴ２」になるように、時刻Ｔ５〜時刻Ｔ６で上がる。例えば、時刻Ｔ５と時刻Ｔ６との間の時刻Ｔ５１の色温度は「ＣＴ３ｍ」となっており、この「ＣＴ３ｍ」は、「ＣＴ２」より小さく、「ＣＴ３」より大きい。なお、時刻Ｔ５〜時刻Ｔ６の色温度の指数関数は、時刻Ｔ５のときに色温度が「ＣＴ３」に、時刻Ｔ６のときに色温度が「ＣＴ２」にそれぞれなるような関数である。
【００８０】
（２−４）フローチャート
図８は、第１の実施形態に係る制御部のフローチャートである。
制御部３５は、管理用のメインスイッチＳＷ１（以下、単に「ＳＷ１」ともいう。）がＯＮされると、図８に示すフローチャートを実行する。なお、メインスイッチＳＷ１は、メンテナンス等以外は、常時ＯＮになっており、通常、１年中サ−カディアン点灯されるように構成されている。
制御部３５は、例えば、壁１３に設けられた操作ユニット１５のスイッチＳＷ２（以下、「ＳＷ２」ともいう。）がＯＮされると、非常点灯に切り替わるように構成されている。なお、スイッチＳＷ２がＯＦＦされると、ＯＦＦされた時点のモードでプログラムを再開するように構成されている。
制御部３５は、プログラムがスタートすると、まず、変数である時刻Ｔ、照度Ｉ、色温度ＣＴの０クリアを行う（Ｓ１）。
０クリアが終了すると、現在の時刻Ｔを時計４７から取得し（Ｓ２）、時刻Ｔに対応する照度Ｉ、色温度ＣＴを点灯テーブルＴａ１から取得する（Ｓ３）。制御部３５は、取得した照度Ｉと色温度ＣＴとなるように、第１ＰＷＭ回路４１と第２ＰＷＭ回路４３とに指示する（Ｓ４）。
【００８１】
その後、ＳＷ２が「ＯＮ」されているかを判定する（Ｓ５）。「ＯＮ」されていない場合（「Ｎｏ」である。）、ＳＷ１が「ＯＮ」であるかを判定する（Ｓ６）。「ＯＮ」のある場合（「Ｙｅｓ」である。）はステップＳ１へと戻り、「ＯＦＦ」になっている場合（「Ｎｏ」である。）はプログラムを終了する。
ステップＳ５で、ＳＷ２が「ＯＮ」と判定される（「Ｙｅｓ」である。）と、非常点灯になるような照度と色温度とを第１第１ＰＷＭ回路と第２ＰＷＭ回路とに指示する（Ｓ７）。その後、ステップ８でＳＷ２が「ＯＦＦ」と判定されると（「Ｙｅｓ」である。）、ステップＳ２へと進む。
【００８２】
３．実施例
（１）実施例１
図９は、春秋モードの７．５時間タイプにおける、照明器具５の点灯スケジュールを説明する図である。
【００８３】
なお、７．５時間タイプとは、就寝予定時刻から起床予定時刻までの時間が概ね７．５時間の場合をいい、本実施例では、就寝予定時刻は２２時１５分、起床予定時刻は６時に設定されている。
【００８４】
以下、モード毎の点灯制御について説明する。
（Ａ）夕食予定前時間帯モード
Ａは、１５時から１６時３０分までの夕食予定前時間帯である。
１５時において、色温度が６，０００ケルビン、照度が２４５ルクスで点灯している。本実施例では、１５時から１５時３０分までは色温度を一定（６，０００ケルビン）に制御し、１５時３０分からは色温度が徐々に下がるように制御する。
また、１５時から１６時までは照度を一定（２４５ルクス）に制御し、１６時からは照度が２２８ルクスまで徐々に下がるように制御する。
【００８５】
（Ｂ）第１の移行モード
Ｂは、１６時３０分から１８時までの時間帯である。
１６時３０分から色温度を一定（３，０００ケルビン）に制御する。なお、色温度は起床予定前時刻の５時４５分まで一定（３，０００ケルビン）に制御しているが、一定でなくてもよい。
また、１６時３０分から１８時まで、照度が１７６ルクスまで徐々に下がるように制御する。
【００８６】
（Ｃ）夕食予定時間帯モード
Ｃは、１８時から１９時まで夕食予定時間帯である。
夕食予定時間帯Ｃにおいては、色温度が３，０００ケルビン、照度が１７６ルクスで一定となるように制御する。
【００８７】
（Ｄ）第２の移行モード
Ｄは、１９時から２０時までの時間帯である。
１９時から２０時にかけて、照度が３３ルクスまで徐々に下がるように制御する。
【００８８】
（Ｅ）夕食予定後時間帯モード
Ｅは、２０時から２２時１５分までの夕食予定後時間帯である。
２０時から２１時３０分までは、照度を一定（３３ルクス）に制御する。
２１時３０分から２１時４５分までを減光時間帯とし、照度３３ルクスから照度１２ルクスまで徐々に下がるように制御する。なお、減光時間帯後の照度は１２ルクス以下としてもよく、０．３ルクス程度まで下げてもよい。
２１時４５分から２２時１５分までは、照度を一定（１２ルクス）に制御する。
【００８９】
（Ｆ）睡眠予定時間帯モード
Ｆは、２２時１５分から５時４５分までの睡眠予定時間帯である。
２２時１５分から起床予定前時刻の５時４５分までは、色温度を３，０００ケルビン、照度を１２ルクスで一定になるように制御する。
【００９０】
（Ｇ）起床前モード
Ｇは、５時４５分から６時までの時間帯である。
起床予定前時刻の５時４５分から起床予定時刻の６時にかけて、色温度３，０００ケルビンから色温度５，０００ケルビンまで指数関数的に上げるとともに、照度１２ルクスから照度２４５ルクスまで指数関数的に上がるように制御する。
【００９１】
このように、夕食予定前時間帯Ａにおいて、色温度が３，０００ケルビンより高く、照度が１００ルクスより明るくなるように点灯させている。これにより、セロトニンがトリプトファンから変換されやすくなり、また、体内時計が乱れるのを抑制できる。
また、夕食予定後時間帯Ｅにおいて、色温度が３，０００ケルビン以下、照度が１００ルクス以下の明るさとなるように点灯させている。これにより、体内時計の乱れを抑制でき、メラトニンが分泌されやすくなる。
さらに、起床予定前時刻から起床予定時刻において、色温度が３，０００ケルビンより高く、照度が２００ルクス以上に指数関数的に上がるように点灯させている。これにより、目覚め易くなる。
【００９２】
（２）実施例２
実施例１では７．５時間タイプについて説明したが、６時間タイプとすることも可能である。図１０は、春秋モードの６時間タイプにおける、照明器具５の点灯スケジュールを説明する図である。
【００９３】
なお、６時間タイプとは、就寝予定時刻から起床予定時刻までの時間が概ね６時間の場合をいい、本実施例では、就寝予定時刻は２３時４５分、起床予定時刻は６時に設定されている。
６時間タイプは７．５時間タイプに比べて、夕食予定時間帯Ｃが約１時間、夕食予定後時間帯Ｅが約３０分長いため、その分、就寝予定時刻から起床予定時刻までの時間が約１時間３０分短くなっている。それ以外は、図９に示した実施例１の７．５時間タイプと略同様に点灯を制御する。
【００９４】
以下、モード毎の点灯制御について説明する。
（Ａ）夕食予定前時間帯モード
Ａは、１５時から１６時３０分までの点灯が夕食予定前時間帯である。
１５時において、色温度が６，０００ケルビン、照度が２４５ルクスで点灯している。本実施例では、１５時から１５時３０分までは色温度を一定（６，０００ケルビン）に制御し、１５時３０分からは色温度が徐々に下がるように制御する。
また、１５時から１６時までは照度を一定（２４５ルクス）に制御し、１６時からは照度が２２８ルクスまで徐々に下がるように制御する。
【００９５】
（Ｂ）第１の移行モード
Ｂは、１６時３０分から１８時までの第１の移行時間帯である。
１６時３０分から色温度を一定（３，０００ケルビン）に制御する。なお、色温度は起床予定前時刻の５時４５分まで一定（３，０００ケルビン）に制御しているが、一定でなくてもよい。
また、１６時３０分から１８時まで、照度が１７６ルクスまで徐々に下がるように制御する。
【００９６】
（Ｃ）夕食予定時間帯モード
Ｃは、１８時から２０時までの夕食予定時間帯である。
夕食予定時間帯Ｃにおいては、色温度が３，０００ケルビン、照度が１７６ルクスで一定となるように制御する。
【００９７】
（Ｄ）第２の移行モード
Ｄは、２０時から２１時までの第２の移行時間帯である。
２０時から２１時にかけて、照度が３３ルクスまで徐々に下がるように制御する。
【００９８】
（Ｅ）夕食予定後時間帯モード
Ｅは、２１時から２３時４５分までの夕食予定後時間帯である。
２１時から２３時前までは、照度を一定（３３ルクス）に制御する。
２３時から２３時１５分までを減光時間帯とし、照度３３ルクスから照度１２ルクスまで徐々に下がるように制御する。なお、減光時間帯後の照度は１２ルクス以下としてもよく、０．３ルクス程度まで下げてもよい。
２３時１５分から２３時４５分までは、照度を一定（１２ルクス）に制御する。
【００９９】
（Ｆ）睡眠予定時間帯モード
Ｆは、２３時４５分から５時４５分までの睡眠予定時間帯である。
２３時４５分から起床予定前時刻の５時４５分までは、色温度を３，０００ケルビン、照度を１２ルクスで一定になるように制御する。
【０１００】
（Ｇ）起床前モード
Ｇは、５時４５分から６時までの起床時間帯である。
起床予定前時刻の５時４５分から起床予定時刻の６時にかけて、色温度３，０００ケルビンから色温度５，０００ケルビンまで指数関数的に上げるとともに、照度１２ルクスから照度２４５ルクスまで指数関数的に上がるように制御する。
【０１０１】
この実施例２においても、実施例１と同様の効果、すなわち、セロトニンがトリプトファンから変換されやすくなり、体内時計が乱れるのを抑制でき、メラトニンが分泌されやすくなるという効果を得ることができる。
【０１０２】
＜第２の実施形態＞
第１の実施形態において、点灯スケジュールは一年を通じて同じものとして説明している。しかしながら、日没時刻を考慮して、点灯スケジュールを変化するようにしてもよい。
第２の実施形態では、日没時刻が遅い「夏モード」と、日没時刻が早い「冬モード」と、夏モードと秋モードの中間である「春秋モード」の３種類のモードを有する照明システムについて説明する。
【０１０３】
図１１は、第２の実施形態における夏モードの点灯スケジュールであり、図１２は、第２の実施形態における冬モードの点灯スケジュールである。
春秋モードは、第１の実施形態の図６に示す点灯スケジュールであり、夏モード及び冬モードは、第１の実施形態の点灯モードを基準にしている。
第２の実施形態における３つのモードは、照度の動作曲線は同じであり、色温度の動作曲線がそれぞれ異なる。つまり、色温度を下げ始める時刻が、冬モード、春秋モード、夏モード順で遅くなっている。
【０１０４】
１．制御部
図１３は、制御装置のブロック図である。
第２の実施形態では、制御部が第１の実施形態の制御部と構成が異なり、照明器具、制御装置の電源部や供給部は、第１の実施形態と同じである。このため、制御部について説明する。
制御装置５１の制御部５３は、ＣＰＵ５５、メモリー５７、時計５９の他、カレンダー６１を備える。カレンダー６１は、ＣＰＵ５５からの要求により、要求された時点の月日を読み出し、ＣＰＵ５５に出力する。
メモリー５７には、夏モード用、冬モード用、春秋モード用の３つの点灯テーブル１Ｔａ１，１Ｔａ２，１Ｔａ３が格納されている。夏モード用の点灯テーブルが「１Ｔａ１」であり、冬モード用の点灯テーブルが「１Ｔａ２」であり、春秋モード用の点灯テーブルが「１Ｔａ３」である。
制御部５３は、上記構成を有することにより、点灯する際の月日（季節）に合わせて、夏モード、冬モード、春秋モードの３種類から１つを選択して、その点灯スケジュールに沿って照明器具５を点灯させる。
２．点灯テーブル
３種類のモードは、夕食予定前時間帯Ａにおける色温度を下げるタイミングが異なる。このため、ここでは、夏モード用と冬モード用の各点灯テーブル１Ｔａ１，１Ｔａ２において、夕食予定前時間帯Ａに対応する色温度について説明する。なお、春秋モード用の点灯テーブル１Ｔａ３は、第１の実施形態の図７で示す点灯テーブルＴａ１と同じである。
【０１０５】
図１４は、夏モード用の点灯テーブルの一部であり、図１５は、冬モード用の点灯テーブルの一部である。
【０１０６】
（１）夏モード（図１４）
色温度は、時刻Ｔ１〜時刻Ｔ１１において、図１１に示すように一定であり、点灯テーブル１Ｔａ１において、時刻Ｔ１〜時刻Ｔ１１で「ＣＴ１」である。
色温度は、時刻Ｔ１１〜時刻Ｔ１２において、図１１に示すように徐々（線形的）に低くなる。点灯テーブル１Ｔａ１において、時刻が時刻Ｔ１２になったときに色温度が「ＣＴ３」になるように、色温度が時刻Ｔ１１〜時刻Ｔ１２で下がる。
【０１０７】
（２）冬モード（図１５）
色温度は、時刻Ｔ１〜時刻Ｔ１１において、図１２に示すように徐々（線形的）に低くなる。点灯テーブル１Ｔａ２において、時刻が時刻Ｔ１１になったときに色温度が「ＣＴ３」になるように、色温度が時刻Ｔ１〜時刻Ｔ１１で下がる。
【０１０８】
３．フローチャート
図１６は、第２の実施形態に係る制御部のフローチャートである。
第２の実施形態におけるフローチャートは、メインスイッチ１ＳＷ１（以下、単に、「１ＳＷ１」ともいう。）がＯＮされると開始され、非常用のスイッチ１ＳＷ２（以下、「１ＳＷ２」ともいう。）がＯＮされると、非常用の点灯に切り替わるように構成されている。なお、スイッチ１ＳＷ２がＯＦＦされると、ＯＦＦされた時点からプログラムを再開するように構成されている。
制御部５３は、１ＳＷ１が「ＯＮ」されると、プログラムをスタートさせる。
制御部５３は、まず、変数である時刻Ｔ、照度Ｉ、色温度ＣＴ、月日情報等の０クリアを行う（Ｓ１０１）。
０クリアが終了すると、現在の月日をカレンダー６１から取得し（Ｓ１０２）、月日に対応するモードを選択して、当該モードの点灯テーブル１Ｔａをメモリー５７から取得する（Ｓ１０３）。なお、点灯テーブル１Ｔａは、１Ｔａ１，１Ｔａ２，１Ｔａ３のうちの何れかである。
モードの選択は、取得した「月」が、５月から７月の場合は夏モード、２月から４月、８月から１０月の場合は春秋モード、１１月から１月の場合は冬モードとなるように、行われる。
また、カレンダーに合わせて、１日単位、１週間単位、１ケ月単位等のモードを設定して動作させることも可能である。
【０１０９】
その後、現在の時刻Ｔを時計５９から取得し（Ｓ１０４）、時刻Ｔに対応する照度Ｉ、色温度ＣＴを点灯テーブル１Ｔａから取得する（Ｓ１０５）。取得した照度Ｉと色温度ＣＴとなるように第１ＰＷＭ回路と第２ＰＷＭ回路とに指示する（Ｓ１０６）。
その後、１ＳＷ２が「ＯＮ」されているかを判定する（Ｓ１０７）。「ＯＮ」されていない場合（「Ｎｏ」である。）、１ＳＷ１が「ＯＮ」であるかを判定する（Ｓ１０８）。「ＯＮ」である場合（「Ｙｅｓ」である。）はステップＳ１０２へと戻り、「ＯＦＦ」になっている場合（「Ｎｏ」である。）はプログラムを終了する。
ステップＳ１０７で、１ＳＷ２が「ＯＮ」と判定される（「Ｙｅｓ」である。）と、非常点灯を第１ＰＷＭ回路と第２ＰＷＭ回路とに指示する。その後、１ＳＷ２が「ＯＦＦ」されると（ステップＳ１１０の「Ｙｅｓ」である。）、ステップＳ１０４へと進む。
【０１１０】
４．実施例
（１）実施例３
第１の実施形態においては、春秋モードについて説明したが、季節に応じて（夏モード、冬モード）点灯を制御することもできる。
図１７は、夏モードの７．５時間タイプにおける、照明器具５の点灯スケジュールを説明する図である。
ここで説明する点灯スケジュールは、第１の実施形態における実施例１（図９）の夕食予定前時間帯モードと第１の移行モードとが異なり、それ以降のモードは同じである。このため、ここでは、夕食予定前時間帯モードと第１の移行モードについて説明する。
【０１１１】
（Ａ）夕食予定前時間帯モード
Ａは、１５時から１７時まで夕食予定前時間帯である。
１５時から１６時までは色温度を一定（６，０００ケルビン）に制御し、１６時から色温度が３，０００ケルビンまで徐々に下がるように制御する。
また、１５時から１６時までは照度を一定（２４５ルクス）に制御し、１６時から照度が２１０ルクスまで徐々に下がるように制御する。
【０１１２】
（Ｂ）第１の移行モード
Ｂは、１７時から１８時までの第１の移行時間帯である。
１７時から色温度を一定（３，０００ケルビン）に制御する。なお、色温度は起床予定前時刻の５時４５分まで一定（３，０００ケルビン）に制御しているが、一定でなくてもよい。
また、１６時から１８時まで、照度が１７６ルクスまで徐々に下がるように制御する。
なお、実施例３においても、第１の実施形態の実施例１と同様の効果を得ることができる。
【０１１３】
（２）実施例４
図１８は、冬モードの７．５時間タイプにおける、照明器具５の点灯スケジュールを説明する図である。
ここで説明する点灯スケジュールは、第１の実施形態における実施例１（図９）の夕食予定前時間帯モードと第１の移行モードとが異なり、それ以降のモードは同じである。このため、ここでは、夕食予定前時間帯モードと第１の移行モードについて説明する。
【０１１４】
（Ａ）夕食予定前時間帯モード
Ａは、１５時から１６時までの夕食予定前時間帯である。
１５時から１６時にかけて色温度６，０００ケルビンから３，０００ケルビンまで徐々に下がるように制御する。
また、１５時から１６時にかけて、照度を一定（２４５ルクス）に制御する。
【０１１５】
（Ｂ）第１の移行モード
Ｂは、１６時から１８時までの第１の移行時間帯である。
１６時から色温度を一定（３，０００ケルビン）に制御する。なお、色温度は起床予定前時刻の５時４５分まで一定（３，０００ケルビン）に制御しているが、一定でなくてもよい。
また、１６時から１８時まで、照度が２４５ルクスから１７６ルクスまで徐々に下がるように制御する。
実施例４においても、第１の実施形態の実施例１と同様の効果を得ることができる。特に、夕食予定前時間モードと第１の移行モードにおいて、照度を１６時から下げ始める際には、色温度が６，０００ケルビンから３，０００ケルビン近くに下がっている。これにより、以下の効果が得られる。
冬の場合、春、夏、秋に比べて日没時刻が早い。このため、１６時から照度を下げ始めると、プルキンエシフトにより、オレンジ色の視認性が低下するおそれがある。しかしながら、本例では、照度を下げる前に、色温度を前もって下げているため、プルキンエシフトの影響を受けにくくできる。
【０１１６】
＜第３の実施形態＞
第１及び第２の実施形態では、複数の生活空間（部屋）を有する施設等に設けられる照明システムについて説明している。
しかしながら、本発明は一般照明装置にも適用することができる。以下、一般家庭で使用される照明装置としてシーリングライトに適用した実施形態について説明する。
【０１１７】
１．構造
図１９は、第３の実施形態の照明装置の斜視図であり、図２０は、第３の実施形態の照明装置の断面図であり、図２１は、第３の実施形態の照明装置の透光性カバーを外した状態を光の出射方向から見た図である。
照明装置の一例であるシーリングライト１００は、図１９から図２１に示すように、装置本体１０１と透光性カバー１０３とリモコン１０２（図２２参照）とから構成される。
装置本体１０１は、高い色温度の光を出射する高発光部と、高発光部が出射する光の色温度よりも低い色温度の光を出射する低発光部と、高発光部と低発光部とのそれぞれの点灯を制御する制御ユニットとを有する。
ここで、本発明の「照明部」の一例は、低発光部と高発光部とで構成され、制御ユニットは、本発明「制御部」の一例に相当する。
高発光部と低発光部は、図２１に示すように、高い色温度の光を出射する高ＬＥＤ１０５ａと、低い色温度の光を出射する低ＬＥＤ１０５ｂと、高ＬＥＤ１０５ａと低ＬＥＤ１０５ｂを実装するＬＥＤ基板１０７とから構成される。なお、ＬＥＤ基板１０７は、高ＬＥＤ１０５ａ用の配線パターンと、低ＬＥＤ１０５ｂ用の配線パターンとを有している。
制御ユニットは、電源部、供給部及び制御部を有している。電源部及び供給部は、第１の実施形態の電源部及び供給部と同じである。
制御ユニットは、コンデンサ、抵抗、ダイオード、トランジスタ、ＩＣ等の電子部品１０９ａ，１０９ｂ，１０９ｃから構成され、これらの電子部品１０９ａ，１０９ｂ，１０９ｃは回路基板１１１に実装されている。本実施形態においては、制御部は、人感センサー１１３を備え、人を感知した場合に点灯するように構成されている。また、制御部は、リモコン１０２（図２２参照）に示す送信部１３９から送信される点灯情報を受信する受信部１１４を有している。
ＬＥＤ基板１０７及び回路基板１１１は、板状のベース部材１１５に設けられている。なお、電源部は、図１９に示す引掛刃１１７を介して、天井に設けられている引掛けシーリング（図示省略）に電気的に接続されている。
【０１１８】
シーリングライト１００は、ＬＥＤ基板１０７に実装された高・低ＬＥＤ１０５ａ，１０５ｂ、回路基板１１１に実装された電子部品１０９ａ，１０９ｂ，１０９ｃを、高・低ＬＥＤ１０５ａ，１０５ｂの光の出射方向から覆う保護カバー１１９を有している。この保護カバー１１９はベース部材１１５に固定されている。
【０１１９】
透光性カバー１０３は、装置本体１０１を光の出射方向から覆う。透光性カバー１０３は、高・低ＬＥＤ１０５ａ，１０５ｂや電子部品１０９ａ，１０９ｂ，１０９ｃを保護する機能、高・低ＬＥＤ１０５ａ，１０５ｂから出射された光を拡散させる機能等を有している。ここでは、透光性カバー１０３は、装置本体１０１側の後カバー１２１と、光の出射方向側に位置する前カバー１２３とから構成される。後カバー１２１は、ベース部材１１５に着脱自在に取り付けられる。前カバー１２３は、前カバー１２３に着脱自在に取り付けられる。
【０１２０】
図２２は、リモコンのブロック図である。
リモコン１０２は、図２２に示すように、操作部１３１、表示部１３３、制御部１３５、時計１３７、送信部１３９等を備える。
【０１２１】
操作部１３１は、操作者が点灯パターン、時刻等の設定を行うためのものである。表示部１３３は、操作者に操作方法の案内内容を表示したり、設定条件を表示したりするためのものである。制御部１３５は、装置本体１０１への時刻情報の送信や操作者の操作内容の送信、操作部１３１の操作内容の入力、表示部１３３の表示内容の出力等を制御する。時計１３７は、時刻をカウントするものである。なお、時計は、電波時計であってもよい。送信部１３９は、点灯パターンや時刻等の各種情報を装置本体１０１に送信するためのものである。送信部１３９は例えば、赤外通信等を利用している。
【０１２２】
２．制御部
（１）構成
図２３は、制御部のブロック図である。
制御部１４１は、図２３に示すように、ＣＰＵ１４３、メモリー１４５、カウンター１４７、人感センサー１１３、受信部１１４を有している。メモリー１４５は、点灯パターンに対応した点灯テーブル等を備える。カウンター１４７は、リモコン１０２から定期的に送信される時刻情報に基づいて時間をカウントする。受信部１１４及び人感センサー１１３は上記した通りである。
制御部１４１は、操作者の要求により、例えば２つの点灯パターンを行うことができるように構成されている。１つ目の点灯パターンは、照度、色温度を自動的に変化させるサーカディアン点灯である。２つ目の点灯パターンは、所謂、通常点灯であり、操作者がリモコン１０２を操作して設定した所望の照度、色温度で点灯させるものである。なお、設定されない場合は、予め設定されたデフォルトに従って点灯される。
【０１２３】
（２）フローチャート
図２４は、第３の実施形態の制御部のフローチャートである。
制御部１４１は、例えば、壁スイッチのメインスイッチ２ＳＷ１（以下、単に、「２ＳＷ１」ともいう。）がＯＦＦからＯＮされたり、メインスイッチ２ＳＷ１がＯＮでリモコン１０２のスイッチ２ＳＷ２（点灯を指示するＯＮ信号でもある）がＯＮされたりしたときに、プログラムをスタートさせる。
【０１２４】
制御部１４１は、スタートすると、点灯パターンを示すＩＤを読み込む（Ｓ２０１）。このＩＤは、メインスイッチ２ＳＷ１やリモコン１０２のスイッチ２ＳＷ２がＯＦＦされる直前の点灯パターンを示すものであり、制御部１４１のメモリー１４５に格納されている。
その後、点灯パターンを変更する信号をリモコン１０２から受信したか判定する（Ｓ２０２）。点灯パターンに変更が有る場合（「Ｙｅｓ」である。）、受信した新しい点灯パターンのＩＤ番号に変更（Ｓ２０３）して、新しいＩＤを記憶する（Ｓ２０４）する。点灯パターンに変更がない場合（ステップＳ２０２で「Ｎｏ」である。）、ＩＤをそのままにして（Ｓ２０５）、そのＩＤを記憶する（Ｓ２０４）。これにより、メインスイッチ２ＳＷ１やリモコン１０２のスイッチ２ＳＷ２がＯＦＦされた場合でも、直前の点灯パターンを記憶し、再度ＯＮされたときに、同じ点灯パターンで点灯される。
【０１２５】
次に、ステップＳ２０６でＩＤの値を判定する。なお、ＩＤ「１」がサーカディアン点灯を指し、ＩＤ「２」が通常点灯を指す。
ステップＳ２０６でＩＤが「１」と判断された場合は、サーカディアン点灯を行う（Ｓ２０７）。ここでは、第１の実施形態の図８に示す、ステップＳ２〜ステップＳ４を行う。これにより、例えば、１の実施形態の図６に示す点灯スケジュールの光環境が生成される。
【０１２６】
その後ステップＳ２０９に進んで、人感センサー１１３が「ＯＮ」しているかを判定する。「ＯＮ」の場合（「Ｙｅｓ」である。）、部屋に人が存在している場合であり、ステップＳ２１０に進む。
ステップＳ２１０で人感センサー１１３が「ＯＦＦ」の場合（「Ｎｏ」である。）、部屋に人が存在していない場合であり、人感センサー１１３が「ＯＮ」するまで消灯させる（Ｓ２１１）。
【０１２７】
次に、ステップＳ２１０で、リモコン１０２のスイッチ２ＳＷ２が「ＯＦＦ」されているかを判定する。「ＯＦＦ」されている場合（「Ｙｅｓ」である。）、スイッチ２ＳＷ２がＯＮされる（Ｓ２０３の「Ｎｏ」の状態である。）まで消灯する（Ｓ２１２、Ｓ２１３）。
ステップＳ２１３でスイッチ２ＳＷ２が「ＯＮ」される（「Ｙｅｓ」である。）と、Ｓ２１４に進んで、メインスイッチ２ＳＷ１が「ＯＦＦ」されているか判定する。メインスイッチ２ＳＷ１が「ＯＦＦ」されていない場合（「Ｎｏ」である。）はステップＳ２０２に進み、「ＯＦＦ」されている場合（「Ｙｅｓ」である。）は、終了（エンド）する。
ステップＳ２１０でリモコン１０２のスイッチ２ＳＷ２が「ＯＦＦ」されていない場合（「Ｎｏ」である。）、ステップＳ２１４に進む。
一方、ステップＳ２０６でＩＤが「２」と判断された場合は、通常点灯を行い（Ｓ２０８）、サーカディアン点灯と同様に、ステップＳ２０９へと進む。
【０１２８】
３．点灯スケジュールについて
シーリングライト１００は、一般家庭において、図６に示す点灯スケジュールのサーカディアン点灯を行う。これによる一般家庭での特有の作用について説明する。なお、第１の実施形態で説明した効果については、同様に得られる場合もあり、ここでの説明は省略する。
図６における照度Ｉ３は、第１の実施形態と同様に、２０ルクス〜４５ルクスの範囲内にあるのが好ましい。より好ましいのは、２５ルクス〜４０ルクスの範囲内である。
これは、勤労者が例えば時刻Ｔ３１後に帰宅した場合に、帰宅者（勤労者）が生活空間の明るさのままで生活に入れるようにするためである。この照度は、帰宅者が帰宅した際に、家の中が暗いと感じさせ難い明るさであり、また、自宅でゆっくりと過ごすことができる明るさである。当然、食事もできる明るさである。
【０１２９】
＜変形例＞
１．点灯スケジュール
点灯スケジュールについて、第１及び第２の実施形態で説明したが、例えば、以下のような変形例であってもよい。なお、第１の実施形態で説明した図６の点灯スケジュールと同じモードについては、その説明を省略する。
（１）変形例１
図２５は、変形例１に係る点灯スケジュールを説明する図である。
変形例１では、夕食予定時間帯モード以降のモードは第１の実施形態と同じである。
【０１３０】
（Ａ）夕食予定前時間帯モード
Ａは、時刻Ｔ１から時刻Ｔ２までの夕食予定前時間帯である。
時刻Ｔ１において、３，０００ケルビンより高い色温度ＣＴ１、１００ルクスより明るい照度Ｉ１で点灯している。時刻Ｔ１から時刻Ｔ２にかけて、色温度ＣＴ１が徐々に下がるように制御する。
また、時刻Ｔ１から時刻Ｔ１１までは照度Ｉ１を一定に制御し、時刻Ｔ１１から時刻Ｔ２にかけて照度Ｉ１が下がるように制御する。
【０１３１】
（Ｃ）夕食予定時間帯モード
Ｃは、時刻Ｔ２から時刻Ｔ３までの夕食予定時間帯である。
時刻Ｔ２から時刻Ｔ３においては、色温度ＣＴ３及び照度Ｉ２が一定となるように制御する。なお、夕食予定時間帯モードは第１の実施形態と同じである。
【０１３２】
変形例１においては、夕食予定前時間帯モード（Ａ）後に、夕食予定時間帯モード（Ｃ）に直接移行するため、第１の移行モード（Ｂ）は省略されている。
【０１３３】
（２）変形例２
図２６は、変形例２に係る点灯スケジュールを説明する図である。
変形例２では、夕食予定後時間モード以降のモードは第１の実施形態と同じである。
【０１３４】
以下、モード毎の点灯制御について説明する。
（Ａ）夕食予定前時間帯モード
Ａは、時刻Ｔ１から時刻Ｔ１２までの夕食予定前時間帯である。
時刻Ｔ１において、３，０００ケルビンより高い色温度ＣＴ１、１００ルクスより明るい照度Ｉ１で点灯している。時刻Ｔ１から時刻Ｔ２１までは色温度ＣＴ１を一定に制御する。なお、時刻Ｔ２１から時刻Ｔ２２にかけて色温度ＣＴ１が色温度ＣＴ３（３，０００ケルビン）まで徐々に下がるように制御する。
また、時刻Ｔ１から時刻Ｔ１２までは照度Ｉ１を一定に制御する。
【０１３５】
（Ｂ）第１の移行モード
Ｂは、時刻Ｔ１１から時刻Ｔ２までの第１の移行時間帯である。
時刻Ｔ１１以後は、色温度ＣＴ３を一定（３，０００ケルビン）に制御する。
また、時刻Ｔ１１から時刻Ｔ２にかけて、照度Ｉ１から照度Ｉ２ａへと徐々に下がるように制御する。
【０１３６】
（Ｃ）夕食予定時間帯モード
Ｃは、時刻Ｔ２から時刻Ｔ３までの夕食予定時間帯である。
変形例２では、時刻Ｔ２から時刻Ｔ３までの夕食予定時間帯Ｃを、前半と後半に分けた。すなわち、時刻Ｔ２から時刻Ｔ２１までの前半時間帯Ｃ１と、時刻Ｔ２２から時刻Ｔ３までの後半時間帯Ｃ３とに分けた。時刻Ｔ２１から時刻Ｔ２２までは、前半時間帯Ｃ１から後半時間帯Ｃ３への移行時間帯Ｃ２を示す。
前半時間帯Ｃ１においては、色温度ＣＴ３が３，０００ケルビン、照度Ｉ２ａで一定となるように制御する。
移行時間帯Ｃ２においては、照度Ｉ２ａから照度Ｉ２ｂへと徐々に下がるように制御する。これに合わせて、色温度ＣＴ１が色温度ＣＴ３へと徐々に下がるようにしている。
ここでは、色温度を３，０００ケルビンより高い色温度（例えば６，０００ケルビンである。）を前半時間帯Ｃ１の終了まで維持している。これにより、例えば、前半時間帯Ｃ１において作業（例えば、勉強、仕事等である。）する場合に、集中力を高めることができる光環境を提供できる。
後半時間帯Ｃ３においては、色温度ＣＴ３（３，０００ケルビン）、照度Ｉ２ｂで一定となるように制御する。
【０１３７】
（Ｄ）第２の移行モード
Ｄは、時刻Ｔ３から時刻Ｔ３１までの第２の移行時間帯である。
時刻Ｔ３から時刻Ｔ３１にかけて、照度Ｉ２ｂから照度Ｉ３へと徐々に下がるように制御する。
【０１３８】
（３）変形例３
図２７は、変形例３に係る点灯スケジュールを説明する図である。
変形例３では、夕食予定後時間モード以降のモードは第１の実施形態と同じである。
【０１３９】
以下、モード毎の点灯制御について説明する。
（Ａ）夕食予定前時間帯モード
Ａは、時刻Ｔ１から時刻Ｔ２までの夕食予定前時間帯である。
時刻Ｔ１において、３，０００ケルビンより高い色温度ＣＴ１、１００ルクスより明るい照度Ｉ１で点灯している。時刻Ｔ１から時刻Ｔ１１までは色温度ＣＴ１を一定に制御し、時刻Ｔ１１から時刻Ｔ１２にかけて、色温度ＣＴ１から色温度ＣＴ４へと徐々に下がるように制御する。時刻Ｔ１２から時刻Ｔ３までは、色温度ＣＴ４を一定に制御する。
また、時刻Ｔ１から時刻Ｔ１２までは照度Ｉ１を一定に制御し、時刻Ｔ１２から時刻Ｔ２にかけて、照度Ｉ１から照度Ｉ２へと徐々に下がるように制御する。
【０１４０】
（Ｃ）夕食予定時間帯モード
Ｃは、時刻Ｔ２から時刻Ｔ３までの夕食予定時間帯である。
時刻Ｔ２から時刻Ｔ３においては、色温度ＣＴ４及び照度Ｉ２が一定となるように制御する。
【０１４１】
（Ｄ）第２の移行モード
Ｄは、時刻Ｔ３から時刻Ｔ３１までの第２の移行時間帯である。
時刻Ｔ３から時刻Ｔ３１にかけて、色温度ＣＴ４から色温度ＣＴ３へと徐々に下がるように制御する。
また、時刻Ｔ３から時刻Ｔ３１にかけて、照度Ｉ２から照度Ｉ３へと指数関数的に下がるように制御する。
【０１４２】
変形例３においては、夕食予定前時間帯モード（Ａ）後に、夕食予定時間帯モード（Ｃ）に直接移行するため、第１の移行モード（Ｂ）は省略されている。
【０１４３】
（４）変形例４
図２８は、変形例４に係る点灯スケジュールを説明する図である。
【０１４４】
以下、モード毎の点灯制御について説明する。
（Ａ）夕食予定前時間帯モード
Ａは、時刻Ｔ１から時刻Ｔ１２までの夕食予定前時間帯である。
時刻Ｔ１において、３，０００ケルビンより高い色温度ＣＴ１、１００ルクスより明るい照度Ｉ１で点灯している。時刻Ｔ１から時刻Ｔ１１までは色温度ＣＴ１を一定に制御し、時刻Ｔ１１から時刻Ｔ１２にかけて色温度ＣＴ１が色温度ＣＴ３（３，０００ケルビン）まで徐々に下がるように制御する。
また、時刻Ｔ１から時刻Ｔ１２までは照度Ｉ１を一定に制御し、時刻Ｔ１２から照度Ｉ１が徐々に下がるように制御する。
【０１４５】
（Ｂ）第１の移行モード
Ｂは、時刻Ｔ１２から時刻Ｔ２までの第１の移行時間帯である。
時刻Ｔ１２以降は、色温度ＣＴ３を一定（３，０００ケルビン）に制御する。
また、時刻Ｔ１２から時刻Ｔ２にかけて、照度が照度Ｉ２まで徐々に下がるように制御する。
【０１４６】
（Ｃ）夕食予定時間帯モード
Ｃは、時刻Ｔ２から時刻Ｔ３までの夕食予定時間帯である。
時刻Ｔ２から時刻Ｔ３まで、色温度ＣＴ３及び照度Ｉ２が一定となるように制御する。
【０１４７】
（Ｄ）第２の移行モード
Ｄは、時刻Ｔ３から時刻Ｔ３１までの第２の移行時間帯である。
時刻Ｔ３から時刻Ｔ３１にかけて、照度Ｉ２が照度Ｉ３（１００ルクス以下）まで徐々に下がるように制御する。
【０１４８】
（Ｅ）夕食予定後時間帯モード
Ｅは、時刻Ｔ３１から就寝予定時刻Ｔ４までの夕食予定後時間帯である。
時刻Ｔ３１から時刻Ｔ３３にかけて、照度Ｉ３から照度Ｉ４へと徐々に下がるように制御する。
なお、時刻Ｔ３３以降は、第１の実施形態と同じである。
（５）その他
上記の実施形態や変形例では、時刻Ｔ１で点灯し、時刻Ｔ６で消灯している。しかしながら、２４時間連続で点灯する点灯スケジュールであってもよい。また、睡眠予定時間帯モード（Ｆ）で、一旦消灯してもよい。消灯のタイミングとしては、日の出が早くなる季節での起床予定時刻前等が考えられる。
上記実施形態や変形例では、夕食予定後時間帯モードと睡眠予定時間帯モードで照度が異なっているが、一定であってもよいし、徐々に変化してもよい。変化の態様は、指数関数的であってもよいし、直線的であってもよいし、段差的であってもよい。
上記実施形態や変形例では、起床前モードにおいて、色温度も指数関数的に変化しているが、直線的に変化させてもよい。
【０１４９】
２．照明システム
（１）構造
第１及び第２の実施形態において、本発明の照明部の一例に相当する照明器具５は、第１・第２発光部２１，２３を有しているが、例えば、本発明の制御部の一例に相当する制御装置７の電源部３１、供給部３３、制御部３５の少なくとも一つを有してもよい。さらに、複数の照明器具５のうち、１つの照明器具５に制御装置７の機能を組み込んでもよい。つまり、照明システムとして、照明部と制御部を有しておればよく、照明部及び制御部に含まれる構成の組み合わせは特に限定するものではない。
【０１５０】
（２）照明部
第１及び第２の実施形態において、照明部の一例である照明器具５は、埋め込みタイプのベースライトを利用したが、他のタイプのベースライトであってもよいし、ダウンライトを利用してもよいし、ベースライトとダウンライトとの両方を利用してもよい。
【０１５１】
第１及び第２の実施形態において、照明部の光源として、ＬＥＤ素子を利用したが、他の光源、例えば、蛍光灯や電球を利用してもよい。例えば昼白色の複数本の蛍光灯と電球色の複数本（複数個）の蛍光灯を利用して、調色・調光してもよい。
第１及び第２の実施形態において、照明器具５は２つの第１・第２発光部２１，２３を有していたが、例えば、３つ以上の発光部を有していてもよい。例えば、赤色光を発する赤色発光部と、緑色光を発する緑色発光部と、青色光を発する青色発光部との３つの発光部から照明器具を構成してもよい。この場合も、各発光部にＬＥＤを利用することができる。
【０１５２】
（３）制御部
制御部の一例である制御装置７は、調光制御にパルス幅制御（第１・第２ＰＷＭ回路４１，４３）を利用しているが、他の方式を利用してもよい。他の方式として、振幅制御、位相制御等がある。なお、位相制御の場合、光源としてＬＥＤを利用すると適用できない場合もある。
第１及び第２の実施形態では、制御装置７は、すべての照明器具５に対して同一の点灯制御をおこなっていたが、例えば、生活空間で生活する人に合わせて個別に点灯制御するようにしてもよい。この場合、制御部は、複数の生活空間のそれぞれに対応した副制御部を複数備えることで実施できる。
（４）その他
第１及び第２の実施形態では、照明システムを病院、介護施設、寮等に適用した例について説明している。しかしながら、複数の生活空間を有する住宅に適用してもよい。
また、第１及び第２の実施形態では、生活空間に人の存在に関係なく、照明部が点灯されているが、第３の実施形態で説明したように、人感センサー等を設けて、人が存在する生活空間に対して点灯制御するようにしてもよい。例えば、病院等での食堂は、夕食予定時間帯、夕食準備時間、夕食片付け時間だけ照明部を点灯させ、その後は消灯するようにしてもよい。
【０１５３】
３．照明装置
（１）種類
第３の実施形態では、本発明に係る照明装置をシーリングライトに適用していたが、例えば、ＬＥＤ電球や、ペンダントライト、ベースライト等であってもよい。
【０１５４】
（２）リモコン
第３の実施形態では、シーリングライト１００は、制御部１３５を装置本体１０１側に備えている。制御部１４１は、リモコン１０２から点灯パターンを示す設定値ＩＤを受信している。
しかしながら、例えば、制御部１４１の機能をリモコン側に持たせてもよい。この場合、リモコンから照明装置の第１及び第２ＰＷＭ回路にデューティ比を送信することで実施できる。
また、第３の実施形態では、シーリングライト１００専用のリモコンを利用していたが、スマートフォンや携帯電話等の携帯端末の通信手段（赤外線、ブルートゥース等）を利用できるようにしてもよい。
【０１５５】
（３）点灯スケジュール
第３の実施形態では、一般家庭の照明装置に本発明を適用した一例について説明している。しかしながら、家族構成に対応させた点灯スケジュールを予め設けても有していてもよい。
例えば、起床時間を学校の始業時刻に合わせて子供モードや、就床予定時間と起床予定時間を早めた高齢者モードや、夕食予定時間帯を短くした大人モード等である。
さらに、帰宅時間、夕食予定時間帯、入浴予定時刻、就床予定時刻を入力するようにして、就寝者の生活スタイルに合わせた点灯スケジュールを作成するようにしてもよい。
この場合、パソコンやスマートフォン上でアプリケーションソフトを利用して点灯スケジュールを作成し、照明装置に送信することで実施できる。なお、送信には、ＷｉＦｉやブルートゥース等の通信プロトコルを利用できる。
【０１５６】
４．共通
（１）太陽光
各実施形態における夕食予定前時間帯では、太陽光の状態に関係なく、第１照度帯で点灯させている。しかしながら、太陽光の状態を考慮して、発光部を点灯するようにしてもよい。つまり、太陽光を含めて、第１照度帯で点灯するようにしてもよい。これにより、１日中、サーカディアンモードで動作させても日中の無駄な点灯を危惧する必要がなくなる。
以下、太陽光を含めて、第１照度帯の光環境となるようにした変形例５について説明する。
【０１５７】
図２９は、変形例５に係る点灯を説明する図である。
変形例５の点灯スケジュールにおいて、図２９の実線で示すように、照度は、時刻Ｔ１１まで一定であり、時刻Ｔ１１から減少している。
図２９における線Ｌ１は、点灯スケジュールの生活空間内の照度（目標値）を示し、線Ｌ２は太陽光の実際の照度を示している。
変形例５において、制御部は、照度センサーから生活空間内の照度を取得できるように構成されている。制御部は、太陽光を含めて生活空間内全体として、発光部からの出射光が線Ｌ１で示す照度となるように、発光部からの光出力を制御する。
この場合、領域Ｓ１が出射光であり、領域Ｓ２が太陽光であり、合計して目標の照度（線Ｌ１である。）となる。
つまり、夕食予定前時間帯では、生活空間内の照度が第１照度帯となるように、発光部を点灯させればよい（制御部は、目標の光環境となるように発光部の点灯を制御している。）。具体例で説明すると、日没の遅い夏の青天の日あって南向きの生活空間では、太陽光だけで目標の照度となる。このような場合、制御部は照度が「０」となるように制御する。
【０１５８】
（２）日没
第２の実施形態における照明システムは、日没時刻を考慮して、夏モード、冬モード、春秋モードを有しているが、例えば、さらにＧＰＳ機能を備え、位置情報から日没時間を取得すると、地理的な時間のずれを少なくすることができる。
【０１５９】
５．その他
第１の実施形態から第３の実施形態では、夕食予定時間帯を基準に各時間帯の点灯を制御したが、就寝予定時刻を基準に点灯を制御してもよい。
例えば、就寝予定時刻前の第１の時間帯において、３，０００ケルビンより高い色温度帯であって、１００ルクスより明るい照度帯で照明し、就寝予定時刻前の第２の時間帯において、３，０００ケルビン以下の色温度帯であって２００ルクス以下の照度帯で照明してもよい。
【０１６０】
第１の時間帯は、第２の時間帯よりも早い時間帯が好ましい。第１の時間帯は、就寝予定時刻よりも５時間以上前の時間帯を含むことが好ましい。第１の時間帯は、食事予定時間帯を含むことが好ましい。第１の時間帯は、６，０００ケルビンより高い色温度帯を含むことが好ましい。
【０１６１】
第２の時間帯は、入浴予定時間帯を含むことが好ましい。第２の時間帯は、１５ルクス以下の照度帯を含むことが好ましい。第２の時間帯は、就寝予定時刻よりも２時間から３時間前の時間帯を含むことが好ましい。就寝予定時刻の２時間前から松果体によるメラニンの分泌が上昇するからである。就寝予定時刻の３時間前に入浴すると、大きな熱放散過程が形成され、就寝時に体温が下がり、入眠潜熱が大きく短縮される（１５分程度）。また、睡眠改善の効果が非常に高くなる。
【０１６２】
就寝予定時刻は、２１時〜２４時の間が好ましく、特に好ましくは２２時１５分〜２３時４５分の間である。
【符号の説明】
【０１６３】
１    照明システム
３    生活空間
５    照明器具（照明部）
７    制御装置（制御部）
１００    照明装置
【図１】
0006382103.tif 000002
【図２】
0006382103.tif 000003
【図３】
0006382103.tif 000004
【図４】
0006382103.tif 000005
【図５】
0006382103.tif 000006
【図６】
0006382103.tif 000007
【図７】
0006382103.tif 000008
【図８】
0006382103.tif 000009
【図９】
0006382103.tif 000010
【図１０】
0006382103.tif 000011
【図１１】
0006382103.tif 000012
【図１２】
0006382103.tif 000013
【図１３】
0006382103.tif 000014
【図１４】
0006382103.tif 000015
【図１５】
0006382103.tif 000016
【図１６】
0006382103.tif 000017
【図１７】
0006382103.tif 000018
【図１８】
0006382103.tif 000019
【図１９】
0006382103.tif 000020
【図２０】
0006382103.tif 000021
【図２１】
0006382103.tif 000022
【図２２】
0006382103.tif 000023
【図２３】
0006382103.tif 000024
【図２４】
0006382103.tif 000025
【図２５】
0006382103.tif 000026
【図２６】
0006382103.tif 000027
【図２７】
0006382103.tif 000028
【図２８】
0006382103.tif 000029
【図２９】
0006382103.tif 000030